(57)【要約】【課題】着脱可能な拡張ＨＤＤ装置を備えた印刷装置において、誤って印刷装置の電源を切ってしまうことを防ぐことを目的にする。【解決手段】印刷装置に拡張スロットを持ち着脱可能なハードディスク拡張装置と拡張装置コントローラとハードディスク拡張装置を検出する手段とハードディスクアクセス検出手段と操作パネルと電源スイッチとパワー兼アクセスランプを具備し、ハードディスク拡張装置が印刷装置に装着されるとパワー兼アクセスランプは印刷装置の電源オン／オフ状態の状態とハードディスク拡張装置のアクセスに同期して点滅するアクセス状態を兼用表示することを特徴とする。【選択図】        図１
2006192699.tif 000002
【特許請求の範囲】
【請求項１】
ハードディスク装置を持つ印刷装置において、印刷装置の電源状態を表示する手段とハードディスクの状態を表示する手段を具備し、前記電源状態を表示する手段で前記ハードディスクの状態を表示する手段を兼用することを特徴とする印刷装置。
【請求項２】
前記電源状態を表示する手段は、自照式電源ランプであることを特徴とする請求項１記載の印刷装置。
【請求項３】
着脱可能な拡張装置を拡張スロットに挿入できる印刷装置において、印刷装置の状態表示手段と拡張装置が拡張スロット挿入されたことを検出する手段を具備し、前記拡張装置が拡張スロット挿入されたことを検出すると印刷装置の状態表示手段の機能が追加されることを特徴とする印刷装置。
【請求項４】
前記拡張装置はハードディスクであることを特徴とする請求項３記載の印刷装置。
【請求項５】
前記印刷装置の状態表示は、電源のオン・オフ表示機能であることを特徴とする請求項３記載の印刷装置。
【請求項６】
前記印刷装置の状態表示手段の追加機能は、ハードディスクへのアクセス状態表示機能であることを特徴とする請求項３記載の印刷装置。
【発明の詳細な説明】
【技術分野】
【０００１】
本発明は拡張スロットをもち、ハードディスク装置を拡張することで機能拡張の出来る印刷装置に関するものである。
【背景技術】
【０００２】
従来、パソコンや印刷装置等の情報装置には装着されるハードディスクやシリコンディスク等を内蔵する拡張装置を持ったシステムがある。これらの装置はハードディスクにアクセスが発生するとＬＥＤなどで構成されたアクセスランプを点滅させ、ユーザに知らせることが一般的である。また、着脱可能なハードディスク拡張装置の場合、特許文献１に示されるようなユーザが不用意に誤操作によって取り外すことがないように、ハードディスクを機構的にロックし、データの消失や破損を防ぐ装置が開示されている。
【特許文献１】特開２００２−２８１１９７号公報
【発明の開示】
【発明が解決しようとする課題】
【０００３】
拡張スロットをもつ印刷装置と前記拡張スロットに接続されるハードディスク拡張装置と言ったシステムでは、アクセスのときに点滅させるアクセスランプをユーザの見えやすい印刷装置の前面や操作パネルに配置し、誤操作によるデータの消失や破損を防ぐ必要がある。しかしながら、ハードディスク拡張装置は機能拡張用の装置であるためユーザによっては不必要な場合もありその場合でもユーザの見えやすい場所にアクセスランプを配置する必要がある。この場合、ハードディスク拡張装置が装着されていないときにもアクセスランプが存在し、ユーザからあたかもハードディスク拡張装置が装着されているかのように誤解されたり、印刷装置のコストアップ、大型化につながる。その一方で前記課題からアクセスランプを装備しないものもある。また、アクセスランプをハードディスク拡張装置表面に設け、ハードディスク拡張装置が拡張された時のみアクセスランプが追加されるものもあるが、この場合拡張スロットを印刷装置の前面や操作パネルの一部に設け、ハードディスク拡張装置を挿入できる構成にする必要があり、印刷装置設計上制約が増すことで装置の大型化や、外観上ふさわしくない構造となっていた。
【０００４】
本発明は、以上の点に着目して成されたもので、着脱可能な拡張ＨＤＤ装置を備えた印刷装置において、誤って印刷装置の電源を切ってしまうことを防ぐ印刷装置を提供することを目的とする。
【課題を解決するための手段】
【０００５】
上記の課題を解決するために実施例に示す本発明は、印刷装置に拡張スロットを持ち着脱可能なハードディスク拡張装置と拡張装置コントローラとハードディスク拡張装置を検出する手段とハードディスクアクセス検出手段と操作パネルと電源スイッチとパワー兼アクセスランプを具備し、ハードディスク拡張装置が印刷装置に装着されるとパワー兼アクセスランプは印刷装置の電源オン／オフ状態の状態とハードディスク拡張装置のアクセスに同期して点滅するアクセス状態を兼用表示することを特徴とする。
【０００６】
さらに説明すれば、本発明は下記の構成によって前記課題を解決できた。
【０００７】
（１）ハードディスク装置を持つ印刷装置において、印刷装置の電源状態を表示する手段とハードディスクの状態を表示する手段を具備し、前記電源状態を表示する手段で前記ハードディスクの状態を表示する手段を兼用することを特徴とする印刷装置。
【０００８】
［作用］
実施例に示す本発明によれば、着脱可能なハードディスク拡張装置を印刷装置に取り付けるとユーザの見えやすい印刷装置の前面や操作パネルに配置したパワー兼アクセスランプは、電源オン／オフ状態の状態以外にハードディスク拡張装置にアクセスしたときに点滅表示をする機能が付加されるのでユーザが誤ってハードディスク拡張装置を取り外すことがなりデータの消失や破損をなくすことができる。ハードディスク拡張装置をプリンタに取り付けていないときは、一般的な電源オン／オフ状態表示のみになるので無駄なコストアップや大型化にはならない。
【発明の効果】
【０００９】
本発明の拡張ハードディスク装置を備えた印刷装置によれば、着脱可能なハードディスク拡張装置を印刷装置に取り付けるとユーザの見えやすい印刷装置の前面の操作パネルに配置したパワー兼アクセスランプは、電源オン／オフ状態の状態以外にハードディスク拡張装置にアクセスしたときに点滅表示をする機能が付加されるのでユーザが誤ってハードディスク拡張装置を取り外すことやアクセス中に電源を切ってしまうことなくなりデータの消失や破損をなくすことができる。ハードディスク拡張装置をプリンタに取り付けていないときは、一般的な電源オン／オフ状態表示のみになるので無駄なコストアップや大型化にはならない。
【発明を実施するための最良の形態】
【００１０】
以下本発明を実施するための最良の形態を、実施例により詳しく説明する。
【実施例】
【００１１】
以下に図面に基づいて本発明の第１の実施形態について具体的に説明する。
【００１２】
図１は本発明を実施するための基本的構成を示すブロック図である。
【００１３】
図１に示すように、ホストコンピュータ（以下、ホストという）１にプリンタ３が接続されている。ホスト１には、オペレーティングシステム（以下、ＯＳという）７と、アプリケーションプログラム（以下、アプリケーションという）５とがインストールされている。ＯＳ７内にはプリンタドライバ９がインストールされている。
【００１４】
プリンタドライバ９は、アプリケーション５からの描画命令に対応した印刷データをプリンタ３が理解できるデータ形式で生成するものであり、一般に、プリンタ３のメーカが製造してプリンタ３と共にユーザに提供され、ユーザによってＯＳ７内にインストールされる。
【００１５】
ホスト１とプリンタ３とは、双方向性の通信インターフェース１１（以下、セントロニクス）を介して接続されている。
【００１６】
プリンタ３は、ヘッド駆動機構や用紙供給・搬送機構等の印刷に必要な機構からなるプリントエンジン１３と、ホスト１からの印刷データを処理してプリントエンジンを制御するコントローラ１５とプリントエンジン１３とコントローラ１５にＡＣからＤＣに変換して電力を供給する電源１２とを備える。コントローラ１５は、一般のプリンタのそれと同様に、ホスト１と通信するためのホストＩ／Ｆ１７、ホスト１から受信した印刷データを処理するためのＣＰＵ１９、ＣＰＵ１９の動作に最低限必要なプログラムを搭載したＲＯＭ２１、ＣＰＵ１９の動作プログラムと拡張スロットに挿入された拡張ボードの動作プログラムが記憶されているフラッシュＲＯＭ２８、主記憶やワークエリアや受信バッファやページメモリや印刷バッファ等として利用されるＲＡＭ２３、設定されているプリンタ３の現在のステータスを保持するためのＥＥＰＲＯＭ２５、フォントデータを保持したキャラクタジェネレータ（以下、ＣＧという）２７、プリントエンジン１３との通信のためのエンジンインタフェース２９、及びハードディスク拡張装置３０を格納するための拡張スロット３１、操作パネル３３等を備えている。
【００１７】
図２は、操作パネル３３の外観図であり、プリンタ３の前面でユーザの見やすい場所に配置されている。
【００１８】
操作パネル３３は液晶表示装置（以下、ＬＣＤという）３３３を用いており、ユーザの操作で印字の開始やハードディスク拡張ボード内に格納されている印刷データ、ファイル名またはメニュー等を文字列として表示することができる。３３１は自照式の電源スイッチで内部に後述するＬＥＤが内蔵されており電源オンで点灯、電源オフで消灯、ハードディスク拡張装置がアクセスされているときは点滅する。本実施例では自照式電源スイッチであるが一般的な電源スイッチの近傍にＬＥＤ等の表示装置を配置しても良い。３３２はオンラインキーでプリンタ３のオンライン／オフラインを切り替える。３３４は十字キーでＬＣＤ３３３に表示されるメニュー等を選択するときに用いられる。
【００１９】
図３は、操作パネル３３のブロック図である。自照式電源スイッチ３３１は、ＬＥＤ１０１、スイッチ１０２から構成されており、状態の表示と電源オンオフを行う。１０３はＬＥＤ点滅スイッチ回路であり、拡張スロット３１と接続されており拡張スロット３１の制御によりオンオフされＬＥＤ１０１を点滅させる。１０４はＬＥＤ点灯スイッチ回路であり操作パネルコントローラ１０５の制御によりオンオフされ、オンの時ＬＥＤ１０１を点灯させ、オフの時ＬＥＤ１０１を消灯させる。１０５は操作パネルコントローラでＣＰＵ１９の命令により前述のＬＥＤ１０１の操作とＬＣＤ３３３の制御と十字キー３３４の検出を行う。
【００２０】
図４はハードディスク拡張装置３０を拡張スロット３１に接続したときのブロック図である。
【００２１】
４１は拡張スロットコントローラでＣＰＵ１９の命令に従いハードディスク拡張装置３０内にある拡張装置コントローラ５９と拡張インターフェース４９を通して、データの送受信をおこなう。５９は拡張装置コントローラであり後述する内容を内蔵のＣＰＵによって実行する。４７は拡張装置検出端子で拡張装置３０上の拡張装置端子５７との接続を行い、拡張装置３０の有無を検出する。本実施例では拡張装置検出端子がハイレベルのとき拡張装置３０は未接続でローレベルのとき接続とした。また、拡張スロットコントローラ４１と拡張装置コントローラ５９との通信で応答がないときには拡張装置３０がないと判断しても良い。拡張装置コントローラ５９はＨＤＤコントローラ５１とデータの送受信する機能と印刷データをＨＤＤコントローラを介してハードディスク５２内に格納したり読み出したりする機能を備えている。５１はハードディスクコントローラでハードディスクインターフェース５３を通してハードディスクとデータの送受信を行う。そして、データの送受信中すなわちアクセス中にはアクセス信号５４を通じてアクセス中であることを操作パネル３３に通知する。４８、５８はアクセス信号端子であり、拡張スロット３１と拡張装置３０で信号の受け渡しをおこなう。７１は拡張コネクタであり、拡張スロット３１と拡張装置３０を接続する端子である。
【００２２】
図５は、このプリンタ３において、ＣＰＵ１９が実行するＬＥＤ１０１を制御する方法を示したフローチャートである。
【００２３】
電源スイッチ３３１が押されると電源１２はプリンタ３、ハードディスク拡張装置３０の各部に電源を供給する。ＣＰＵ１９は電源が供給されると電源スイッチ３３１がオンされたと認識する（ステップＳ１）。ＣＰＵ１９は操作パネルコントローラ１０５を制御してＬＥＤ点灯スイッチ回路１０４をオンにしてＬＥＤ１０１を点灯させる。このときＬＥＤ点滅スイッチ回路１０３もオンである（ステップＳ２）。
【００２４】
次にＣＰＵ１９は拡張スロットコントローラ４１を通じて拡張装置検出端子４７の状態を取得し、拡張スロット３１におけるハードディスク拡張装置３０の有無を確認する（ステップＳ３）。拡張ボードの有無確認で何も挿されていない場合は終了する。拡張スロットに挿されている場合はステップＳ４に進む。
【００２５】
次にＨＤＤコントローラ５１はハードディスク５２に対してアクセスがない場合は終了し、アクセスがある場合はＳ５に進む（ステップＳ４）。ＨＤＤコントローラ５１はアクセスがあるとアクセス信号５４を出力し、ＬＥＤ点滅スイッチ回路１０３を制御してＬＥＤ１０１を点滅状態にする。ＬＥＤ１０１を点滅状態にするにはアクセス信号５４の電圧レベルをハイとローに切り替えることを繰り返すことにより行われる（ステップＳ５）。再び電源スイッチ３３１が押されると電源１２はプリンタ３、ハードディスク拡張装置３０の各部への電源を供給を停止し、ＬＥＤ１０１は消灯する（ステップＳ６）。
【図面の簡単な説明】
【００２６】
【図１】本発明を実施するための基本構成を示すブロック図
【図２】操作パネル３３の外観図
【図３】操作パネル３３のブロック図
【図４】ハードディスク拡張装置３０を拡張スロット３１に接続したときのブロック図
【図５】プリンタ３において、ＣＰＵ１９が実行するＬＥＤ１０１を制御する方法を示したフローチャート
【符号の説明】
【００２７】
１  ホストコンピュータ
３  プリンタ
５  アップリケーション
７  オペレーティングシステム
９  プリンタドライバ
１１  双方向インターフェース
１２  電源
１３  プリンタエンジン
１５  コントローラ
１７  ホストＩ／Ｆ
１９  ＣＰＵ
２１  ＲＯＭ
２３  ＲＡＭ
２５  ＥＥＰＲＯＭ
２７  ＣＧ
２９  エンジンＩ／Ｆ
３０  拡張ハードディスク拡張装置
３１  拡張スロット
３３  操作パネル
４１  拡張スロットコントローラ
４４  拡張インターフェース
４７、４８  アクセス信号端子
４９  第１の拡張インターフェース
５１  ハードディスクコントローラ
５２  ハードディスク
５３  ハードディスクインターフェース
５７  拡張装置端子
５８  本体検出端子
５９  拡張装置コントローラ
７１  拡張コネクタ
１０１  ＬＥＤ
１０２  スイッチ
１０３  ＬＥＤ点滅スイッチ回路
１０４  ＬＥＤ点灯スイッチ回路
１０５  操作パネルコントローラ
３３１  電源スイッチ
３３２  オンラインキー
３３３  液晶表示装置
３３４  十字キー
【図１】
2006192699.tif 000003
【図２】
2006192699.tif 000004
【図３】
2006192699.tif 000005
【図４】
2006192699.tif 000006
【図５】
2006192699.tif 000007